(57)【要約】  蓋の着脱なしに容易に開閉が可能である容器を提供する。  本発明の容器は、容器体２および蓋体１を有する容器であって、前記蓋体１が、蓋体収容部２３に収容された状態で、前記蓋体１が回転して、貫通孔１１を介して容器本体２１内部と前記蓋体収容部２３の側壁に形成された側壁開口部２４が連通し、前記蓋体１が回転して、前記封止位置１２が前記容器本体２１の上部開口２２の上に位置することで、前記容器本体２１内部を外部から封止する容器である。
2009099223.tif 000002
【特許請求の範囲】
【請求項１】
容器体および蓋体を有する容器であって、
前記容器体は、上部開口かつ有底の筒状の容器本体と、少なくとも一端が開口の筒状の蓋体収容部とを有し、
前記容器本体の軸方向と前記蓋体収容部の軸方向が略垂直になる状態で、前記容器本体の上部開口に前記蓋体収容部が配置されて、前記容器本体と前記蓋体収容部が一体化され、
前記上部開口を介して、前記容器本体の内部と、前記蓋体収容部内部とが連通し、
前記容器本体の上部開口の上方に相当する前記蓋体収容部の側壁に開口部が形成され、
前記蓋体は、柱状であり、前記柱状の軸方向に対し垂直方向の貫通孔と、前記貫通孔の開口部の位置から周方向にずれた位置に封止位置とを有し、
前記蓋体は、前記蓋体収容部の内部に、前記蓋体の外周面が前記蓋体収容部の内周面と接した状態で、同軸的かつ回転可能に収容可能であり、
前記蓋体の貫通孔は、前記蓋体が、前記蓋体収容部に収容された状態で、前記蓋体収容部の側壁開口部と前記容器本体の上部開口とが位置する位置に相当する位置に配置されるように形成され、
前記蓋体が、前記蓋体収容部に収容された状態で、前記蓋体が回転して前記貫通孔の一端が前記側壁開口部の下に位置し、前記貫通孔の他端が前記容器本体の上部開口の上に位置することで、前記貫通孔を介して、前記容器本体内部と前記側壁開口部が連通し、
前記蓋体が回転して前記封止位置が前記容器本体の上部開口の上に位置することで、前記容器本体内部を外部から封止する容器。
【請求項２】
前記蓋体収容部が、円筒状であり、前記蓋体が、円柱状であり、前記蓋体において、前記封止位置が、互いに、蓋体の径方向において対向する位置に２つ配置され、前記蓋体収容部の軸方向に対し垂直方向の、前記蓋体収容部の内径Ｘと、前記２つの封止位置の径方向における前記蓋体の外径Ｙとが、Ｙ＞Ｘの関係を満たす請求の範囲１記載の容器。
【請求項３】
前記封止位置が、薄板状または前記上部開口に嵌合する凸形状である請求の範囲１記載の容器。
【請求項４】
前記上部開口に隣接する前記蓋体収容部の内周面に、リブ面を有する請求の範囲１記載の容器。
【請求項５】
前記蓋体収容部の内径Ｘと、前記２つの封止位置の径方向における前記蓋体の外径Ｙとが、Ｘ＜Ｙ＜１．５Ｘの関係を満たす請求の範囲２記載の容器。
【請求項６】
前記蓋体の少なくとも一端に、前記蓋体を回転操作する回転操作部が形成された請求の範囲１記載の容器。
【請求項７】
前記回転操作部が、直線状に形成された請求の範囲６記載の容器。
【請求項８】
前記蓋体収容部の外周面に、保持部が形成された請求の範囲１記載の容器。
【請求項９】
前記蓋体収容部の少なくとも一端に、周縁の一部を帯状に切欠した回転調節部が形成され、前記蓋体の少なくとも一端側の外周面に、停止部が形成され、前記蓋体の回転操作時に、前記停止部が、前記回転調節部内のみで回転移動可能である請求の範囲１記載の容器。
【請求項１０】
前記蓋体の一端の外周縁の一部に、掛止部が形成されている請求の範囲１記載の容器。
【請求項１１】
前記蓋体の少なくとも一端に、開閉認識部が形成されている請求の範囲１記載の容器。
【請求項１２】
前記容器体および前記蓋体が、プラスチック製である請求の範囲１記載の容器。
【請求項１３】
分析に使用する分析容器であって、前記容器が請求の範囲１記載の容器であることを特徴とする分析容器。
【請求項１４】
前記分析が遺伝子分析である請求の範囲１３記載の分析容器。
【請求項１５】
前記遺伝子分析がＰＣＲによる分析である請求の範囲１４記載の分析容器。
【発明の詳細な説明】
【技術分野】
【０００１】
本発明は、容器およびそれを用いた分析容器に関する。
【背景技術】
【０００２】
従来、理化学分析装置や医療分析装置等を用いた分析において、分析対象物を収納する容器が用いられてきた。前記容器は、分析中の容器内試料の蒸発や飛散等による分析精度の低下等を防止するために、気密かつ液密に封止することが必要となる。このため、従来用いられてきた容器では、例えば、パッキングを具備したスクリューキャップ構造や、樹脂の柔軟性を利用した嵌め込み構造（例えば、特許文献１等）が利用されてきた。したがって、従来の容器は、容器を開閉する際に、蓋を外す動作、外した蓋を他所に移動する動作、外した蓋を再度装着する動作等の開閉動作を要した。【０００３】
一方、前記理化学分析や医療分析等の分野において、一連の測定動作を全て自動化した自動分析装置の開発が望まれている。しかしながら、従来の容器を用いた場合、自動分析装置は、前記容器の開閉を操作する機構が必要となり、容器本体に蓋を嵌め込む際の位置決め等、動作精度も必要となる。このため、自動分析装置は、装置機構が増えて複雑になり、装置自体のサイズも大きくなる。【０００４】
【特許文献１】特公平４−３１９４５号公報
【発明の開示】
【０００５】
そこで、本発明の目的は、蓋の着脱なしに容易に開閉可能であり、自動分析装置に容易に適用可能な容器を提供することである。
【０００６】
前記目的を達成するために、本発明の容器は、容器体および蓋体を有する容器であって、前記容器体は、上部開口かつ有底の筒状の容器本体と、少なくとも一端が開口の筒状の蓋体収容部とを有し、前記容器本体の軸方向と前記蓋体収容部の軸方向が略垂直になる状態で、前記容器本体の上部開口に前記蓋体収容部が配置されて、前記容器本体と前記蓋体収容部が一体化され、前記上部開口を介して、前記容器本体の内部と、前記蓋体収容部内部とが連通し、前記容器本体の上部開口の上方に相当する前記蓋体収容部の側壁に開口部が形成され、前記蓋体は、柱状であり、前記柱状の軸方向に対し垂直方向の貫通孔と、前記貫通孔の開口部の位置から周方向にずれた位置に封止位置とを有し、前記蓋体は、前記蓋体収容部の内部に、前記蓋体の外周面が前記蓋体収容部の内周面と接した状態で、同軸的かつ回転可能に収容可能であり、前記蓋体の貫通孔は、前記蓋体が、前記蓋体収容部に収容された状態で、前記蓋体収容部の側壁開口部と前記容器本体の上部開口とが位置する位置に相当する位置に配置されるように形成され、前記蓋体が、前記蓋体収容部に収容された状態で、前記蓋体が回転して前記貫通孔の一端が前記側壁開口部の下に位置し、前記貫通孔の他端が前記容器本体の上部開口の上に位置することで、前記貫通孔を介して、前記容器本体内部と前記側壁開口部が連通し、前記蓋体が回転して前記封止位置が前記容器本体の上部開口の上に位置することで、前記容器本体内部を外部から封止することを特徴とする。
【０００７】
本発明の容器は、蓋体の回転で開閉が可能であるため、蓋の着脱なしに容器を容易に開閉できるため、自動分析装置にも容易に適用可能であり、封止性にも優れる。また、本発明の容器を自動分析装置に適用した場合、蓋の移動手段が不要であり、かつ、高い位置決め精度が不要のため、簡単な機構で容器の開閉が可能である。
【図面の簡単な説明】
【０００８】
【図１】図１は、本発明の容器の一例における蓋体および容器体の分解斜視図である。
【図２】図２は、本発明の容器の一例の斜視図である。
【図３】図３（Ａ）は、開蓋状態における、本発明の容器の一例の断面図であり、図３（Ｂ）は、封止状態における、本発明の容器の一例の断面図である。
【図４】図４（Ａ）は、本発明の容器の一例における、容器体の断面図であり、図４（Ｂ）は、本発明の容器の一例における、蓋体の断面図である。
【図５】図５（Ａ）は、容器体の一例の側面図であり、図５（Ｂ）は、容器体の別の一例の側面図である。
【図６】図６は、本発明の容器の別の一例における蓋体および容器体の分解斜視図である。
【図７】図７は、本発明の容器の別の一例の斜視図である。
【図８】図８は、本発明の容器のさらに別の一例における蓋体および容器体の分解斜視図である。
【図９】図９は、本発明の容器のさらに別の一例の斜視図である。
【図１０】図１０は、本発明の容器のさらに別の一例における、開閉経過状態を示す容器の上面図である。図１０（Ａ）は、開蓋状態の前記上面図、図１０（Ｂ）は、開蓋状態から封止状態への移行状態の前記上面図、図１０（Ｃ）は、封止状態における前記上面図である。
【図１１】図１１は、本発明の容器のさらに別の一例における、蓋体の開閉認識部と、自動分析装置の認識機構との関係を示す模式図である。図１１（Ａ）は、開蓋状態認識時の前記模式図、図１１（Ｂ）は、封止状態認識時の前記模式図である。
【図１２】図１２は、本発明の容器のさらに別の一例における蓋体および容器体の分解斜視図である。
【図１３】図１３は、本発明の容器のさらに別の一例の斜視図である。
【図１４】図１４は、本発明の容器のさらに別の一例における蓋体および装着するＯリングの分解斜視図である。
【図１５】図１５（Ａ）は、開蓋状態における、本発明の容器のさらに別の一例の断面図であり、図１５（Ｂ）は、封止状態における、本発明の容器のさらに別の一例の断面図である。
【発明を実施するための最良の形態】
【０００９】
本発明の容器において、前記蓋体収容部が、円筒状であり、前記蓋体が、円柱状であり、前記蓋体において、前記封止位置が、互いに、蓋体の径方向において対向する位置に２つ配置され、前記蓋体収容部の軸方向に対し垂直方向の、前記蓋体収容部の内径Ｘと、前記２つの封止位置の径方向における前記蓋体の外径Ｙとが、Ｙ＞Ｘの関係を満たすことが好ましく、Ｘ＜Ｙ＜１．５Ｘの関係を満たすことがより好ましい。Ｘ＜Ｙ＜１．５Ｘの関係を満たすことにより、本発明の容器において、前記封止位置では外方向に圧接し、また、前記蓋体の回転が容易になり、封止性と操作性に優れる。【００１０】
本発明の容器において、前記封止位置の数は、特に限定されないが、２つが好ましい。また、本発明の容器において、前記封止位置の形状は、薄板状または前記上部開口に嵌合する凸形状が好ましい。【００１１】
本発明の容器は、前記上部開口に隣接する前記蓋体収容部の内周面に、リブ面を有するのが好ましい。【００１２】
本発明の容器は、前記蓋体の少なくとも一端に、前記蓋体を回転操作する回転操作部が形成されていることが好ましい。本発明の容器において、前記回転操作部は、直線状に形成されているのが好ましい。【００１３】
本発明の容器は、前記蓋体収容部の外周面に、保持部が形成されていてもよい。【００１４】
本発明の容器において、前記蓋体収容部の少なくとも一端に、周縁の一部を帯状に切欠した回転調節部が形成され、前記蓋体の少なくとも一端側の外周面に、停止部が形成され、前記蓋体の回転操作時に、前記停止部が、前記回転調節部内のみで回転移動可能であってもよい。【００１５】
本発明の容器は、前記蓋体の一端の外周縁の一部に、掛止部が形成されていてもよい。【００１６】
本発明の容器は、前記蓋体の少なくとも一端に、開閉認識部が形成されているのが好ましい。このように形成されれば、例えば、自動分析装置は、容器の開閉を認識できる。【００１７】
本発明の容器において、前記容器体および前記蓋体が、プラスチック製であることが好ましい。【００１８】
本発明の分析容器は、本発明の容器を用いることを特徴とする。本発明の分析容器は、例えば、遺伝子分析に利用する分析容器であってもよい。前記遺伝子分析としては、特に限定されないが、例えば、ＰＣＲ反応等が挙げられる。
【実施例】
【００１９】
つぎに、本発明について、例を挙げて説明する。ただし、本発明は、以下の実施例により制限されない。【００２０】
［実施例１］
本発明の容器の一例を図１から図４に示す。図１は、本例の容器の分解斜視図である。図２は、本例の容器の斜視図である。図３は、図２におけるＩ−Ｉ方向から見た本例の容器の断面図である。図４（Ａ）は、前記容器体の断面図であり、図４（Ｂ）は、前記蓋体の断面図である。前記図１から図４において、同一部分には同一符号を付している。【００２１】
図１から図４に示すように、前記蓋体１は、円柱状であり、前記円柱状の軸方向に対し垂直方向の貫通孔１１と、前記貫通孔１１の開口部の位置から周方向にずれた位置に配置された２つの封止位置１２とを有している。２つの前記封止位置１２は、互いに、前記蓋体１の径方向に対向する状態で配置されている。前記貫通孔１１は、前記蓋体１が、前記蓋体収容部２３に収容された状態で、前記蓋体収容部２３の側壁開口部２４と前記容器本体２１の上部開口２２とが位置する位置に相当する位置に配置されるように、形成されている。本発明の容器において、前記貫通孔１１の形状は、特に制限されず、例えば、円筒状、角筒状等が挙げられ、好ましくは、円筒状である。本例の容器において、前記封止位置１２は、前記蓋体１の外周面の一部である。本発明の容器において、前記封止位置１２は、前記上部開口２２の上を封止できればよく、特に制限されない。本発明の容器において、前記封止位置１２は、例えば、蓋体１の外周面の一部でもよく、前記外周面上の一部に別途薄板状に形成されていてもよく、前記上部開口２２に嵌合する凸形状に形成されていてもよい。前記薄板状の形状としては、特に制限されず、例えば、矩形、円形等が挙げられる。前記凸形状の形状としては、特に制限されず、例えば、角柱、円柱、球状等が挙げられる。本発明の容器は、前記封止位置を前記薄板状や前記凸形状等に形成することにより、封止性をさらに高めることができる。また、本例の容器において、前記蓋体１の一端に、前記回転操作部１３が形成されている。図１および図２に示すように、前記回転操作部１３は、前記蓋体１の一端において、一部を直線状に残し、他部を穿つことにより形成されている。前記両図において、１４は、前記直線状回転操作部を示す。本発明の容器において、前記回転操作部１３の形状は、特に制限されず、例えば、直線状、十字状等の突起部や溝部が挙げられ、好ましくは、直線状である。本発明の容器は、例えば、自動分析機器の有する回転部等を用いて、前記回転操作部１３を、前記円柱状の蓋体の軸方向を中心に回転することにより、蓋の着脱なしに容易に開閉できる。また、本発明の容器において、前述のように、前記回転操作部１３を、前記開閉認識部として利用可能である。この場合、本発明の容器を分析容器として使用する自動分析機器は、例えば、前記回転操作部１３を回転させる回転部を有し、前記回転操作部１３の回転角度によって、本発明の容器の開閉状態を判断してもよい。【００２２】
図１から図４に示すように、前記容器体２は、上部開口かつ有底の筒状の前記容器本体２１と、少なくとも一端が開口の円筒状の前記蓋体収容部２３とを有し、前記容器本体２１の軸方向と前記蓋体収容部２３の軸方向が略垂直になる状態で、前記容器本体２１の前記上部開口２２に前記蓋体収容部２３が配置されて、前記容器本体２１と前記蓋体収容部２３が一体化されている。本発明の容器において、前記容器本体２１の軸方向と前記蓋体収容部２３の軸方向とは、略垂直になる状態であり、実質的に垂直であればよく、完全に垂直であってもよいし、なくてもよい。図５に、本発明の容器における容器体の例を示す。同図において、矢印Ｘは、前記蓋体収容部２３の軸方向を示し、矢印Ｙは、前記容器本体２１の軸方向を示す。図５（Ａ）は、前記容器本体２１の軸方向Ｙと前記蓋体収容部２３の軸方向Ｘとがほぼ完全に垂直な容器体２の側面図である。図５（Ｂ）は、前記容器本体２１の軸方向Ｙと前記蓋体収容部２３の軸方向Ｘとが、少し傾斜しているが、実質的には略垂直な容器体２の側面図である。前記両図において、図１から図４と同一部分には同一符号を付している。【００２３】
図１から図４に示すように、本例の容器において、前記容器本体２１は、下方に行くに従い細くなる形状である。本発明の容器において、前記容器本体２１の形状は、前述のように、筒状であり、前記筒状としては、例えば、円筒状、角筒状等が挙げられる。前記容器本体２１の形状は、例えば、下方に行くに従い細くなる形状であってもよい。本発明の容器において、前記蓋体収容部２３の形状は、筒状であり、前記筒状としては、特に制限されないが、好ましくは、円筒状である。また、本発明の容器において、前記容器本体２１の前記上部開口２２の開口形状は、特に制限されず、例えば、円形、矩形、菱形、楕円形等が挙げられ、好ましくは、円形である。前記容器体２は、前記上部開口２２を介して、前記容器本体２１の内部と、前記蓋体収容部２３内部とが連通し、前記容器本体２１の上部開口２２の上方に相当する前記蓋体収容部２３の側壁に側壁開口部２４が形成されている。前記側壁開口部２４が、例えば、試料や試薬などを導入および導出する口である。本発明の容器において、前記側壁開口部２４の開口形状としては、特に制限されず、例えば、円形、矩形等が挙げられ、好ましくは、円形である。【００２４】
図４（Ａ）および（Ｂ）に示すように、Ｘは、前記蓋体収容部２３の軸方向に対し垂直方向の、前記蓋体収容部２３の内径の長さであり、Ｙは、２つの前記封止位置１２の径方向における前記蓋体１の外径の長さである。本例の容器において、前記Ｘおよび前記Ｙは、Ｙ＝Ｘ×１．０４の関係を満たしている。前述のように、本発明の容器は、前記Ｙが、前記Ｘよりやや大きくなるように形成されている。本発明の容器において、前記Ｙの長さの範囲は、例えば、Ｘ＜Ｙ＜１．５Ｘであり、好ましくは、１．０２Ｘ＜Ｙ＜１．０６Ｘである。【００２５】
本例の前記容器体２および蓋体１の材質は、ポリプロピレンである。本発明において、前記容器体および蓋体の材質は、本例の材質に限定されず、例えば、プラスチックが挙げられ、好ましくは、可撓性もしくは弾性、または前記双方の特性を有するプラスチックである。前記特性を有するプラスチックとしては、例えば、ポリプロピレン、ポリエチレン、ポリスチレン、ポリテトラフルオロエチレン等が挙げられる。前記特性を有するプラスチックを用いることにより、本発明の容器は、高い封止性を得ることができる。【００２６】
本例の容器において、前記容器本体２１の容量は、０．５ｍＬである。本発明の容器において、容器本体の容量は、本実施例の容量に限定されず、例えば、０．０００１ｍＬ〜１００ｍＬの範囲であり、好ましくは、０．０１ｍＬ〜１０ｍＬの範囲であり、より好ましくは、０．１ｍＬ〜２ｍＬの範囲である。【００２７】
本例の容器は、例えば、つぎのように使用する。【００２８】
図１から図４に示すように、本例の容器において、前記蓋体１を、前記蓋体収容部２３の一端の開口からその内部に、前記蓋体１の外周面が前記蓋体収納部２３の内周面と接した状態で、同軸的かつ回転可能に挿入する。図３（Ａ）は、前記貫通孔１１を介して前記容器本体２１内部と前記側壁開口部２４が連通した開蓋状態を示す。図示のように、開蓋状態から、前記回転操作部１３（図示せず）により前記蓋体１を回転させて、一方の前記封止位置１２を前記側壁開口部２４の下に移動させ、他方の前記封止位置１２を前記容器本体２１の上部開口２２の上に移動させることで、前記容器本体２１内部が、外部から封止される。また、図３（Ｂ）に示す封止状態（閉蓋状態）から、前記回転操作部１３（図示せず）により前記蓋体１を回転させて、前記貫通孔１１の一端を前記側壁開口部２４の下に移動させ、前記貫通孔１１の他端を前記容器本体２１の前記上部開口２２の上に移動させることで、前記貫通孔１１を介して、前記容器本体２１内部と前記側壁開口部２４が連通し、本例の容器が開蓋状態となる（図３Ａ参照）。本発明の容器は、前述のように、２つの前記封止位置の径方向における前記蓋体の外径の長さであるＹが、前記蓋体収容部の軸方向に対し垂直方向の、前記蓋体収容部の内径の長さであるＸよりやや大きくなるように形成されている。このため、前記封止状態では、２つの前記封止位置により、前記上部開口および前記側壁開口部が外方向に圧接される。この外方向への圧接力により、本発明の容器は、高い封止性を得ることができる。【００２９】
このように、本例の容器は、前述の構成を備え、前記外径Ｙを前記内径Ｘより大きく設定し、容器材質の可撓性もしくは弾性、または前記双方の特性を利用することにより、容器の開閉が容易であり、かつ高い封止性を有する。また、本例の容器は、パッキング等の封止用部材が不要のため、部品数を削減でき、製造コストを低減できる。また、本例の容器は、前記回転操作部１３の回転操作のみで、容器を開閉できるため、自動分析装置による利用が可能である。【００３０】
［実施例２］
図６および図７に、本発明の容器の別の一例を示す。図６は、本例の容器の分解斜視図であり、図７は、本例の容器の斜視図である。前記両図において、図１から図５と同一部分には同一符号を付している。【００３１】
図６および図７に示すように、本例の容器には、前記蓋体収容部２３の外周上面に、前記側壁開口部２４に隣接して、板状の保持部２７が垂直方向に複数形成されている。これ以外は、前記実施例１と同様の構成であり、使用形態も同様である。本例の容器は、前記保持部２７を有するため、分析装置や人の手により容易につかむことができ、分析装置に対する容器の着脱が容易になる。本例の容器において、前記実施例１と同様に、前記封止位置１２の数は２つだが、本発明の容器において、前記封止位置の数は、２つに限定されない。【００３２】
本発明の容器において、前記保持部２７の形状としては、特に制限されず、例えば、板状等が挙げられる。本例のように、前記保持部２７の形状を板状とすれば、容器の放熱面積が大きくなり、ＰＣＲ等のように、温度変化を伴う分析において、温度制御を精密に実施することが可能となる。【００３３】
［実施例３］
図８および図９に、本発明の容器の別の一例を示す。図８は、本例の容器の分解斜視図であり、図９は、本例の容器の斜視図である。前記両図において、図１から図７と同一部分には同一符号を付している。【００３４】
図８および図９に示すように、本例の容器は、前記蓋体１に、回転操作環１５、開閉認識部１６（装置スイッチ）、停止部１７、掛止部１８および支持板１９がさらに配置され、前記封止位置１２が薄板状に形成され、前記容器体２に、リブ面２５および回転調節部２６がさらに配置されている。これら以外は、前記実施例１および前記実施例２と同様の構成であり、使用形態も、下記に示す以外は同様である。【００３５】
本例における前記蓋体１には、前記回転操作部１３として、前記直線状回転操作部１４に加えて、前記回転操作環１５が形成されている。前記回転操作環１５は、前記蓋体１の一端側の外周縁に周設され、前記蓋体１を前記蓋体収容部２３内部に挿入した際に、前記蓋体収容部２３の一端に当接するように形成されている。そして、前記回転操作環１５には、２つの凹状の開閉認識部１６が、周縁の一部が対称に切欠されて形成されている。本発明の容器において、前記開閉認識部１６の形状としては、特に制限されず、例えば、凸状、凹状等が挙げられる。また、前記開閉認識部１６の数は、特に制限されず、例えば、１つでもよく、２つ以上でもよい。本例の容器において、前記掛止部１８は、前記回転操作環１５と逆側に、前記蓋体１の外周縁が２ヶ所で切り込まれ、前記切り込み間の末端部が外方向に突設して、形成されている。前記掛止部１８は、前記外周縁に、対称に２つ備えられている（同図には、１つのみ図示）。前記蓋体１が前記蓋体収容部２３に収容された状態で、前記掛止部１８の突設部は、前記蓋体収容部２３の一端側の外周縁に沿って移動可能に掛止される。これにより、前記貫通孔１１、前記側壁開口部２４および前記上部開口２２の位置が水平方向にずれることなく、前記蓋体１を安定的に回転できる。また、前記蓋体１の一端側の外周面には、前記回転操作環１５に当接して、２つの停止部１７が対称に形成されている（同図には、１つのみ図示）。さらに、前記蓋体１の前記貫通孔１１部分を除いた内部には、前記蓋体１の物理的強度を高めるために、支持板１９が配置されている。本例の容器において、前記実施例１および２と同様に、前記封止位置１２の数は２つだが、本発明の容器において、前記封止位置の数は、２つに限定されない。また、本例の容器において、前記掛止部１８および前記停止部１７の数は、各々２つだが、本発明の容器において、前記掛止部および前記停止部の数は、２つに限定されない。【００３６】
本例における前記容器体２には、回転調節部２６が、２つ形成されている。前記回転調節部２６は、前記蓋体収容部２３の両端周縁の１／４を帯状に切欠して形成されている。本発明の容器において、前記回転調節部の数は、特に限定されず、例えば、１つでもよく、２つ以上でもよい。また、本例における前記容器体２において、前記上部開口２２に隣接する前記蓋体収容部２３の内周面には、軸方向に平行に、やや隆起したリブ面２５が形成されている。前記封止状態において、前記封止位置１２が、前記リブ面２５を外方向に圧接することにより、本例の容器は、さらに高い封止性と強度を得ることができる。本発明の容器において、前記リブ面は、前記上部開口に隣接する前記蓋体収容部の内周面に限定されず、例えば、さらに、前記側壁開口部に隣接する前記蓋体収容部の内周面に形成されていてもよい。前記側壁開口部側にも前記リブ面が形成されることにより、本発明の容器は、より高い封止性と強度を得ることができる。【００３７】
本例の容器は、例えば、つぎのようにして使用する。【００３８】
図８および図９に示すように、前記蓋体１を、前記蓋体収容部２３の一端開口側からその内部に回転可能に挿入する。【００３９】
図１０に、開閉時および開閉途中時の容器上面図を示す。図１０（Ａ）は、前記開蓋時、図１０（Ｂ）は、開閉途中時、図１０（Ｃ）は、封止時の容器上面図である。同図（Ａ）では、前記貫通孔１１により、前記上部開口２２および前記側壁開口部２４が連通され、容器が開蓋されている。また、前記停止部１７は、同図において、前記回転調節部２６の左端に配置され、同図の右側（前記回転操作環１５側から見て右回し）方向への移動が可能である。同図（Ｂ）に示すように、前記直線状回転操作部１４（図示せず）または前記回転操作環１５を、右回りに回転操作することにより、前記蓋体１に形成された前記貫通孔１１が右回りに回転する。この回転により、２つの前記封止位置１２の一方が、前記側壁開口部２４を覆い始める。同図（Ｃ）に示すように、前記蓋体１を９０度（前記蓋体１の全周の１／４）回転させると、２つの前記封止位置１２が、前記上部開口２２（図示せず）および前記側壁開口部２４を、それぞれ同時に封止し、容器が封止される。前記封止の際、前記停止部１７が、同図において、前記回転調節部２６の右端に到達するため、それ以上に右回し方向へ回転することがない。このように、本例の容器においては、前記回転調節部２６および前記停止部１７が前述のように備えられることにより、回転操作が９０度に制限され、完全な開蓋状態および封止状態への切り換えが容易である。したがって、本例の容器を利用した自動分析装置は、容器開閉機構として、前記直線状回転操作部１４を回転操作する機構を備えるだけで、容器を自動開閉することができる。【００４０】
本例の容器において、２つの前記開閉認識部１６が、垂直方向（上下方向）に位置する場合は開蓋状態であり、水平方向（左右方向）に位置する場合は、封止状態である。すなわち、本例の容器を利用する自動分析装置は、２つの前記開閉認識部１６の位置を、容器開閉のシグナルとして利用できる。したがって、前記自動分析装置は、前記凹状の開閉認識部１６の位置を認識する機構を有し、前述の位置による容器開閉の状態を判断する機構を備えることにより、容器の開閉状態を確認することが可能である。図１１に、前記蓋体１の前記開閉認識部１６と前記自動分析装置の認識機構との関係の一例を示す模式図を示す。図１１（Ａ）は、開蓋状態認識時の前記模式図、図１１（Ｂ）は、封止状態認識時の前記模式図である。前記両図は、前記蓋体１を回転軸方向から見た模式図であり、図１１（Ａ）における回転方向の矢印は、前記蓋体１の回転方向を示す。また、前記両図における左右方向の矢印は、前記自動分析装置の端子４１の移動方向を示す。本例の容器では、図１１（Ａ）に示すように、前記開閉認識部１６が垂直方向（上下方向）に位置する場合、前記自動分析装置の端子４１は、前記蓋体１に押されて、同図において右方向に移動するため、バネ板４３が押し込まれた状態になり、前記自動分析装置のスイッチ４２がオンになる。また、図１１（Ｂ）に示すように、前記開閉認識部１６が水平方向（左右方向）に位置する場合、前記自動分析装置の端子４１は、凹状の前記開閉認識部１６に入り込んで、同図において左方向に移動するため、前記バネ板４３が圧縮状態から開放され、前記自動分析装置のスイッチ４２がオフになる。前記オンおよびオフは、逆の関係でもよい。なお、本発明の容器において、前記開閉認識部１６と前記自動分析装置の認識機構との関係は、この例に制限されない。【００４１】
［実施例４］
図１２〜図１５に、本発明の容器の別の一例を示す。図１２は、本例の容器の分解斜視図であり、図１３は、本例の容器の斜視図であり、図１４は、本例の容器における、Ｏリング３２装着前の蓋体１の斜視図である。図１５は、図１３におけるＩＩ−ＩＩ方向から見た本例の容器の断面図である。前記図１２〜図１５において、図１から図１１と同一部分には同一符号を付している。【００４２】
図１２〜図１５に示すように、本例の容器は、前記蓋体１の前記封止位置１２に、さらに環状溝３１が形成され、前記環状溝３１に、円環状のＯリング３２が装着されている。前記環状溝３１は、封止時に、前記上面開口２２の周囲を囲う位置に配置されるように、形成されている。これら以外は、前記実施例１〜前記実施例３と同様の構成であり、使用形態も、下記に示す以外は同様である。本発明の容器において、前記環状溝３１の数は、特に制限されず、例えば、１つでもよく、複数でもよい。本発明の容器において、前記Ｏリング３２の材質は、特に制限されず、例えば、ニトリルゴム、フッ素ゴム、シリコーンゴム、テフロン（登録商標）等が挙げられる。【００４３】
本例の容器は、例えば、つぎのようにして使用する。【００４４】
図１３および図１４に示すように、前記蓋体１を、前記蓋体収容部２３の一端開口側からその内部に回転可能に挿入する。【００４５】
図１５（Ａ）は、開蓋状態の本例の容器断面図であり、図１５（Ｂ）は、封止状態の本例の容器断面図である。同図（Ａ）では、前記貫通孔１１により、前記上部開口２２および前記側壁開口部２４が連通され、容器が開蓋されている。同図（Ｂ）に示すように、前記回転操作部１３（図示せず）を、右回りに回転操作することにより、前記蓋体１に形成された前記封止位置１２が右回りに回転する。前記回転により、前記環状溝３１が形成された前記封止位置１２を前記上部開口２２の上に移動させることで、前記環状溝３１に装着した前記Ｏリング３２が、前記蓋体収容部２３の内周面に密着し、本例の容器が封止状態となる（図１５Ｂ参照）。前記封止状態において、前記Ｏリング３２が、前記蓋体収容部２３の内周面に密着することにより、本例の容器は、さらに高い封止性を得ることができる。【００４６】
以上のように、本例の容器は、前記実施例３の構成に加えて前記構成を備えることにより、さらに、封止性を高めることができる。
【産業上の利用可能性】
【００４７】
本発明の容器を用いれば、蓋の着脱なしに容器を容易に開閉できるため、自動分析装置に容易に適用可能である。本発明の容器は、封止性にも優れる。したがって、本発明の容器は、その用途は制限されず、遺伝子工学、生化学、理化学、医学等の幅広い分野において好ましく利用可能である。
【図１】
2009099223.tif 000003
【図２】
2009099223.tif 000004
【図３】
2009099223.tif 000005
【図４】
2009099223.tif 000006
【図５】
2009099223.tif 000007
【図６】
2009099223.tif 000008
【図７】
2009099223.tif 000009
【図８】
2009099223.tif 000010
【図９】
2009099223.tif 000011
【図１０】
2009099223.tif 000012
【図１１】
2009099223.tif 000013
【図１２】
2009099223.tif 000014
【図１３】
2009099223.tif 000015
【図１４】
2009099223.tif 000016
【図１５】
2009099223.tif 000017
【国際調査報告】
2009099223.tif 000018
2009099223.tif 000019